(57)【要約】【課題】施工時に水平レベルが出しやすく、高剛性のフロアパネルとすることで歩きやすい浮床を提供する。【解決手段】本発明のフロアパネルは、両端と下方部が長手方向に開放していて、略開放下方部の両側端内側に平面縁部が延設され、かつ、長手方向の両側面に断面が凹凸形状の嵌合部を形成した略樋形パネル成形体を製作して、複数の該パネル成形体の凹凸形状部同士を嵌合一体化してフロアパネルを構成し、この複数個のフロアパネル同士の四隅、及びまたは、側端部を下方から支持脚で支えて浮床を構築することとした。フロアパネルの両側面の凹凸形状を嵌合させることで、床の水平のレベルが簡単に構成できると共に、フロアパネル同士を半分ズラして連接することで、パネル１枚に受けた荷重が周りのパネルに伝搬することになり、ポコポコした床鳴りもなく歩行感の良い浮床が構成できるのである。  【選択図】  図１
2007040017.tif 000002
【特許請求の範囲】
【請求項１】
両端と下方部が長手方向に開放していて、該開放下方部の両側端内側に平面縁部が延設され、かつ、長手方向の両側面で断面が凹凸形状の嵌合部を形成した略樋形パネル成形体であって、この複数の該パネル成形体の凹凸形状部同士を嵌合一体化してフロアパネルを構成し、この複数個のフロアパネルの四隅、及びまたは、側端部を下方から支持脚で支えて、浮床を構築することを特徴とするフロアパネル。
【請求項２】
請求項１、のフロアパネルにおいて、略樋形パネル成形体の開放下方部の両側端内側に延設した平面縁部の外面に、突条の筋を長手方向に各々構成すると共に、該突条の筋にメッシュ状成形体を溶接一体化したことを特徴とするフロアパネル。
【請求項３】
請求項１、のフロアパネルにおいて、略樋形パネル成形体の開放下方部の両側端内側に延設した平面縁部の外面に、突条の筋を長手方向に各々構成すると共に、開放下方部を上向きにして、その開放下方部に金属製折板の凹凸の溝の向きが、突条の筋と直交するように溶接一体化したことを特徴とするフロアパネル。
【請求項４】
請求項１、のフロアパネルにおいて、略樋形パネル成形体の開放下方部を上向きにして、その開放下方部に床板材を固定したことを特徴とするフロアパネル。
【請求項５】
請求項１、２，３，４、のフロアパネルにおいて、略樋形パネル成形体の内部空間に断熱材を装填したことを特徴とするフロアパネル。
【発明の詳細な説明】
【技術分野】
【０００１】
本発明は、集合住宅や戸建住宅、オフィスビル、工場、店舗等の浮床のフロアパネルの構造に関するものである。
【背景技術】
【０００２】
従来から、集合住宅や戸建住宅、オフィスビル、工場、店舗等の浮床構造には、コンクリートスラブの上に支持する脚部を所定の間隔で配置して、これらの支持脚の上に金属製や木製のパネルを構成するとか、木製の床下地材を敷き並べて床を構成していた。
【０００３】
金属製のパネルで浮床を構成する場合は、薄い２枚の鋼板で強度が出るように凹凸を付けて、上下の鋼板を溶接、カシメ加工をする等してパネル状に一体にしていたのである。
【０００４】
両側面に嵌合する凹凸形状を持つ略樋形パネル成形体を使用したパネル等は、従来仮設小屋の壁等に使われている技術であるが、本発明では、複数個の略樋形パネル成形体を嵌合一体にしたフロアパネルを構成して、支持脚を使って浮床として敷き並べ、構成することにした。
【０００５】
〔特許文献１〕には、事務所や教室等のＯＡ機器を設置する部屋等に使用される、ＯＡフロアのがたつきの発生しにくい床下地構造を提供する。とあり、床スラブ上に複数の支持ボルトを立設し、各支持ボルトに受金具の雌ネジ部を螺合してなり、この隣り合う受け金具上に床パネルを載置し、更に床パネル上に仕上げ材を展設してなるＯＡフロアの床下地構造において、床パネルの受金具に接する面と反対面に凹み段差部を形成し、当該凹み段差部内に緩衝材を嵌め込むと共に、この緩衝材上に押さえ金具を配設したことを特徴とするＯＡフロアの床下地構造。とある。そして、緩衝材が床パネル上に位置するため、床パネルの重量が緩衝材にかかることがない。従って、緩衝材には大きな歪が生ずることはなく半永久的に使用可能となるとある。
【０００６】
しかし、この構成でも床パネル上面にかかった荷重が、その床パネル四隅の支持部に集中することになり、押さえボルトと金具を介して、大きな力となって緩衝材を押さえ込むことになる。このように床パネルの四隅の端面に、集中的に荷重がかかることに大きな問題があるのであって、根本的な解決にいたっていないのである。また、金属板を複層に構成した床パネルは板振動が起こり、歩行感がきわめて悪く、なかなかその解決策がないのが現状である。
【特許文献１】特開平６−３３０６０８
【発明の開示】
【発明が解決しようとする課題】
【０００７】
解決しようとする課題は、フロアパネルの施工時に、簡単に床のレベルが出せると共に、床面にかかる荷重が、床全体に分散してかかるように工夫し、各種配線や配管、空調等の仕様変更に際して、フロアパネルを取り外し、位置変更を完了してからパネルを再配置するに当たっても何ら不都合もなく、容易に施工ができ、平滑で歩きやすく板振動の起こらないフロアパネルを構築することが出来、併せて断熱、防音に優れた浮床のフロアパネルを提供せんとするものである。
【課題を解決するための手段】
【０００８】
上記目的を達成するために、従来の製品は、プレス加工で凹凸をつけた２枚の金属板をカシメたりスポット溶接してフロアパネルを構成し、フロアパネルの四隅を支持脚で支える形で構成していた。
【０００９】
本発明のフロアパネルでは、両端と下方部が長手方向に開放していて、該開放下方部の両側端内側に平面縁部が延設され、かつ、長手方向の両側面で断面が凹凸形状の嵌合部を形成した略樋形パネル成形体を製作して、複数の該パネル成形体の凹凸形状部同士を嵌合し、開放の両端面にパネル側面蓋を接合一体化してフロアパネルを構成し、この複数個のフロアパネルの四隅、及びまたは、側端部を下方から支持脚で支えて浮床を構築することとした。
【００１０】
このフロアパネルの両側面で凹凸形状を嵌合させ、噛合せ構造を持つことで、床の水平のレベルが簡単に構成できると共に、フロアパネル間が連接されて、フロアパネル１枚に受けた荷重が周りのフロアパネルに伝搬することになり、ポコポコした床鳴りもなく歩行感の良いフロアパネルが構成できるのである。
【００１１】
フロアパネルとしての１枚あたりの大きさは、０．５メートル角から０．５メートル×１メートルとか１メートル角のような大きさで構成されるが、この時の略樋形パネル成形体の幅と長さは、使用される鋼板の厚みとフロアパネル全体の厚み、重量によって決定される。
【００１２】
請求項１にあるように、両側面で嵌合する凹凸形状を付け、これを噛合せることで面強度を上げることが出来、比較的薄肉の鋼板、０．５ミリメートルから２．３ミリメートルでもかなりの高強度パネルとなる。０．５ミリメートル以下の厚みだと、樋の形状を小さくしても、床としての強度が不足する。しかし、特別な荷重を想定する工場等の床では、２．３ミリメートル以上の肉厚の鋼板を使用してもよい。
【００１３】
そして、フロアパネルの上面には、仕上げ面としてカーペットやフローリングが施工される。フロアパネルの上面に幅が１０ミリメートル、深さが２ミリメートルから１０ミリメートルの溝を１本から複数本構成することで、面強度を上げることができ、鋼板の肉厚を薄くすることができる。フロアパネルの上面に幅を１０ミリメートル以上にすると上敷の材料にもよるが、上敷きがへこみ歩行感が悪くなるのでよくない。深さを２ミリメートル以下にすると面強度が余り向上しないし、１０ミリメートル以上の溝にすると深すぎてオーバースペックとなる。
【００１４】
略樋形パネル成形体の幅は、１００ミリメートルから５００ミリメートルとする。１００ミリメートル以下だと細かくなりすぎて、強度面でのロスが大きくなるし、５００ミリメートル以上にすると、略樋形パネル成形体の幅が大きくなりすぎて、略樋形パネル成形体にする意味合いがなくなる。
【００１５】
略樋形パネル成形体の厚みは、２０ミリメートルから５０ミリメートル位がよいが、２０ミリメートル以下だと、その側面に両側面で嵌合する凹凸が構成しにくいし、左右の側面に、幅が５ミリメートルから４０ミリメートル、その深さ、または、突起が５ミリメートルから３０ミリメートル位の凹形状、または、凸形状をつけ、隣り合う略樋形パネル成形体が噛合されて、上面からの荷重に対して、長期に亘って安定したフロアパネルとしての強度を発揮出来るようにするのである。
【００１６】
また、両側面で嵌合する幅が５ミリメートル以下では噛合わせが十分でないし、４０ミリメートル以上では全体の厚み５０ミリメートルに納まらなくなる。突起が５ミリメートル以下では噛合わせが十分でないし、３０ミリメートル以上にすると、深くなりすぎて強度的に意味のない寸法となる。
【００１７】
両側面で勘合する凹凸の断面形状は、フロアパネルの寸法誤差並びに施工誤差を吸収できて、安定した強度を発揮できる噛合せの構造はハット形が良い。しかし、Ｖ形、丸形、でも良く、これを限定するものではない。
【００１８】
開放下方部の両側端内側に延設した平面縁部の幅は、略樋形パネル成形体の幅による違いもあるが、１００ミリメートルの幅の成形体では１０ミリメートル以上でよいし、５００ミリメートルの幅の成形体ではでは５０ミリメートル程度とし、その平面縁部の外面にスポット溶接するのに手ごろ、高さ１ミリメートルから５ミリメートルの突条の筋を設けておく。また、この両端部の先を、内部空間側に向けて折り曲げておくと、パネル製作時に作業員の手に傷を負わせなくて済むし、併せて略樋形パネル成形体の断面の強度を上げることになるのである。
【００１９】
手ごろな
以上のように、本発明のフロアパネルは、内部空間を持つ略樋形パネル成形体で構成しているので、ロールフォーミングの設備で製作すると生産性が上がり、コストダウンができる。
【００２０】
略樋形パネル成形体の強度を上げる方法として、例えば、面強度を上げるための開放していない面の溝、スポット溶接するための突条の筋、噛合せ構造の凹凸形状等を構成すると良い。そして、設計通りの形状寸法をロールフォーミングで一気に構成するのである。
【００２１】
内部空間を持つ略樋形パネル成形体の幅を１００ミリメートルから５００ミリメートルとし、複数個の該パネル成形体の凹凸形状部を嵌合し、噛合せ部を溶接一体とすることで、断面性能の高い強度のあるフロアパネルが簡単に構成できる。
【００２２】
フロアパネルを、支持脚を使って浮床に構成するのであるが、噛合せながら施工していくので、水平レベルが出しやすく、位置決めも容易で極めて簡単に、早く施工できるのである。
【００２３】
この噛合せ構造が、本発明の最大の特徴であり、床の上面にかかる各種積載物、人等の荷重を面で受けるように工夫したのである。特に隣り合うパネルの噛合せを長手方向にずらすと、噛合せが床全体に及ぶことになって、床面全体で荷重を受けることになり、理想的なフロアとなるのである。
【００２４】
請求項２においては、略樋形パネル成形体の開放下方部の両側端内側に延設した平面縁部の突条の筋とメッシュ状成形体を簡単にスポット溶接で一体として構成出来るので、好都合なのである。
【００２５】
この時使用されるメッシュ状成形体の線材の直径は、２ミリメートルから５ミリメートルで、メッシュの升目の大きさは２０ミリメートル角から２００ミリメートル角位が良いが、矩形でも菱形のメッシュでも良い。線材の直径は、２ミリメートル以下では強度不足になるし、５ミリメートル以上にすると強度は十分でもコスト的に高くなりすぎる。メッシュの升目の大きさは２０ミリメートル角以下だと細かくなりすぎてメッシュを使用する意味がなくなるし、２００ミリメートル角以上になると面強度が出にくくなる。また、エキスパンドメタルやパンチングメタルのようなものでも良い。
【００２６】
請求項３においては、略樋形パネル成形体の開放下方部を上向きにし、その開放下方部に、断面が凹凸になっている金属製折板を、溶接一体としてなることを特徴とするフロアパネルとした。この時も開放下方部の両側端内側の平面縁部の外面に設けた突条の筋と、金属製折板の凹凸の筋が直交するように構成すると、スポット溶接が簡単に出来ると共に、金属製折板自体に面強度があることと相俟って、全体として強度のあるフロアパネルとなるのである。
【００２７】
この時、金属製折板として使用される鋼板は、厚みが０．３ミリメートルから１．６ミリメートルのメッキ鋼板が使用される。この厚みの使い分けは、金属製折板の凹凸の深さとピッチ、並びに、略樋形パネル成形体の幅と深さ、厚みによって決定される。
【００２８】
また、略樋形パネル成形体の開放下方部を上向きにし、その開放下方部の両側端内側の平面縁部に床板材をビス、または、接着剤等で固定して、請求項４のフロアパネルとすると、振動の少ない歩行感の優れた、更には、断熱性能に優れたフロアパネルとなる。
【００２９】
床板材を木製合板同士での凹凸形状の嵌合接合にすると、浮床であるときには、その嵌合部に荷重が集中するので傷みが激しくなる。本発明のように金属製の凹凸形状の嵌合接合にすることで、長期に亘って傷みのないフロアパネルとなるのである。この時床板材として使用される木製合板は、いわゆるコンパネと呼ばれる合板で、大量に生産販売されている１２ミリメートル前後の厚みのものが適当である。しかし、これを限定するものではない。
【００３０】
請求項５では、略樋形パネル成形体の内部空間に、断熱材を装填してなるフロアパネルとした。このことは、建築物も空調することが普通であり、このことからも断熱材を床下にも構成する必要があるし、併せて音を吸収する必要がある。そのためには、吸音性能を併せ持つ材料が好ましい。本発明によると略樋形パネル成形体に空間部を有することから、断熱材や断熱吸音材の装填が容易であり、従って、高性能のフロアパネルが安価に提供できるのである。
【００３１】
この時、使用される断熱材は、樹脂系の断熱材からロックウールやグラスウールなどの無機系の断熱材が使用可能である。併せて吸音性能のあるものが望ましいが、それを限定する物ではない。グラスウールを使用する場合は、１２キログラム／立方メートル位が適当である。
【発明の効果】
【００３２】
以上のように、本発明のフロアパネルは、内部空間を持つ略樋形パネル成形体で構成しているが、製作するのにロールフォーミングの設備で製作すると生産性が高くて良い。
【００３３】
略樋形パネル成形体の強度を上げる方法として、例えば、面強度を上げるための開放していない面の溝、スポット溶接するための突条の筋、噛合せ構造の凹凸形状等を構成すると良い。そして、設計通りの形状寸法が、ロールフォーミングによる生産方式で一気に構成できるのである。
【００３４】
内部空間を持つ略樋形パネル成形体の幅を１００ミリメートルから５００ミリメートルとし、複数個の該パネル成形体の凹凸形状部を嵌合し、噛合せ部を溶接一体とすることで、断面性能の高い高強度のフロアパネルが簡単に構成できる。
【００３５】
フロアパネルを、支持脚を使って浮床に構成するのであるが、噛合せながら施工していくので、水平レベルが出しやすく、位置決めも容易で、極めて簡単に、早く施工できるのである。
【００３６】
この噛合せ構造が、本発明の最大の特徴であり、床の上面にかかる各種積載物、人等の荷重を面で受けるように工夫したのである。特に隣り合うフロアパネルを噛合せながら長手方向にずらすと、噛合せが床全体に及び、床面全体で荷重を受けることになり、理想的なフロアとなるのである。
【００３７】
開放下方部をメッシュやエキスパンドメタル等の安価な成形物を溶接等で一体にすると、フロアパネルとしての強度が向上するし、更に強度を上げるためには、金属製の折板の凹凸が、略樋形パネル成形体の開放下方部の両側端内側に延設した平面縁部の外面に設けた突条の筋と直交するように、溶接等して一体にすると、高強度のフロアパネルが構成できる。
【００３８】
また、木製合板であるコンパネ等を、略樋形パネル成形体の開放下方部をふさぐ形でビスや接着剤で固定して、木製合板部を上面にしてフロアパネルを構成すると、板振動も少なく、歩行感の良いフロアパネルとなるのである。
【００３９】
更に、略樋形パネル成形体の内部空間に、取付けの金具等、特別な部材を用意しなくても、断熱材を容易に装填できるので、安価に断熱、吸音性能のあるフロアパネルが供給できるのである。
【発明を実施するための最良の形態】
【００４０】
以下、本発明を図により詳細に説明する。図１は、本発明請求項１によるフロアパネルの部分斜視図である。長手方向の両側面９に断面が凹凸形状の嵌合部を形成し、厚みが３０ミリメートルで幅が１２５ミリメートルの略樋形パネル成形体１を４枚、凹部２と凸部３を嵌合し噛合せて、その噛合せ部分の両端末と中央部をそれぞれ複数個、スポット溶接するのである。そして開放両端面にはパネル側面蓋２４を構成する。
【００４１】
図２は、本発明請求項１によるフロアパネルを、請求項２でその開放下方部に、メッシュ状パネルを溶接するメッシュ１０の部分断面斜視図である。この時、図３の略樋形パネル成形体１の開放下方部の平面縁部４の外面に設けた突条の筋７に、線形が５ミリメートルで５０ミリメートルのメッシュ１０に接触させて通電することで、突条の筋７とメッシュ１０との接点に電流が集中して、スポット溶接されるのである。
【００４２】
図３は、略樋形パネル成形体１の部分斜視図である。略樋形パネル成形体１は、板厚が１ミリメートルで、その厚みは３０ミリメートルで、１２５ミリメートルの幅の左右の側面にハット形の凹部２と凸部３を構成し、開放下方部の両側端内側から延設した平面縁部４の外面に設けた突条の筋７を構成しておくのである。更には、この平面縁部４の先を折り曲げ部８としておくと、フロアパネルの組立に際して、作業員のケガが減少し、併せて略樋形パネル成形体１の強度を上げることができるのである。
【００４３】
また、開放していない面５の内側に、断面性能を上げるための凸状の溝６を構成すると、比較的薄い肉厚の鋼板を使っても十分な強度を持たせることが出来、取付け作業の楽な軽量のフロアパネルとなるのである。
【００４４】
図４は、複数個の略樋形パネル成形体１の凹部２と凸部３を嵌合噛合せ、開放下方部を上向きにして、開放下方部の両側端内側に延設した平面縁部４の外面に設けた突条の筋７を長手方向に各々構成すると共に、その開放下方部に板厚が０．８ミリメートルで、小口が５ミリメートル、その深さが１０ミリメートルの折板溝１７を２５ミリメートルピッチに構成した金属製折板１６を、その折板溝１７の向きが、突条の筋７と直交するように当接し、溶接一体化したフロアパネルで、その下部にフロアパネルを支える支持脚１５を構成した部分斜視図である。
【００４５】
図５は、請求項１のフロアパネルにおいて、略樋形パネル成形体１の開放下方部を上向きにして、その開放下方部に床材１１を固定したフロアパネルとパネル側面蓋２４の斜視図である。この時使用される床板材１１は、コンパネと呼ばれる合板で厚み１２ミリメートル程度のものが適当である。
【００４６】
図６は、本発明による５０センチメートル角のフロアパネルを敷き並べて、各フロアパネルの四隅を支持脚１５で支えた平面図である。嵌合部１９でフロアパネルの略樋形パネル成形体１の左右側面の凹部２と凸部３が嵌合されているので、一枚のフロアパネルにかかった力が、その両隣なりのパネルに伝搬して強固な浮床になるのである。
【００４７】
図７は、本発明によるフロアパネルを、５０センチメートル×１メートル角で半分ずらしながら敷き並べて、各フロアパネルの四隅と辺の長さが１メートル側の概中間を支持脚１５で支えた平面の見取り図である。このように、フロアパネルをずらして敷き並べると、嵌合部１９でフロアパネルの略樋形パネル成形体１の左右側面の凹部２と凸部３が嵌合されているので、一枚のフロアパネルにかかった荷重が、床全体にかかることになるので、高強度の浮床が構成されることになるのである。
【００４８】
図８は、本発明によるフロアパネルを、５０センチメートル角で半分ずらしながら敷き並べた平面図と蓋２１の斜視図である。オフィスなどで電気や通信ケーブルなどの配線を立ち上げるための配線用穴２０は、フロアパネルの凹凸のない端面の突合せの部分に切り込みを入れる形で構成する。
【００４９】
図８の下方の図は配線用穴２０を塞ぐための蓋２１の斜視図である。床の上面からの荷重に対して抜け落ちないように、配線用穴２０の廻りの面にうまく馴染むようにする必要があるが、請求項３によるフロアパネルの場合は、金属製折板１６の凹凸の折板溝１７にうまくはまって、しかもずれないで、改修時に簡単に外せるようにすることが肝要である。
【００５０】
配線用穴２０を塞ぐための蓋２１は、金属またはプラスチックス製で、蓋の溝２２を構成すると共に、蓋上面２３で折板溝１７をまたぐような形状にしておくと、改修時に蓋上面２３の下にドライバーを入れることで、この蓋２１を簡単に外せるようになるのである。
【００５１】
図９は、本発明によるフロアパネルの施工後の断面図である。本発明によるフロアパネルは今までのフロアパネルとは違い、フロアパネル間を噛合せ構造にしているので、フロアパネルの水平レベルが出しやすく、１枚のフロアパネルにかかった荷重が周りのフロアパネルに伝搬して、全体で受けるようになって好都合なのであるが、改修時に外したい部分のフロアパネルのみを外すのが困難となってしまうという欠点がある。そこで改修時に外したい部分のフロアパネルの構成の断面も併せて発明しているのである。
【００５２】
図１０は、図９の○印の部分の拡大斜視図である。凸部３に嵌め込む凹部２の下部分がない側壁１２のように凸部３に乗せる形にすることで、外しやすくするのである。この時、外れたりガタガタしないように、ビス１３を使って凸部３に乗せる部分に固定するのである。フロアパネル上面の床面と、その下の略樋形パネル成形物１の開放下方部に構成している平面縁部４にも、ビス１３の頭が通るビス穴１４をあけると、凸部３の立ち上がり部と接点となる面とで接合できるようになり、確実に固定できるのである。
【図面の簡単な説明】
【００５３】
【図１】本発明請求項１によるフロアパネルの部分斜視図である。
【図２】メッシュの部分斜視図である。
【図３】略樋形パネル成形体の部分斜視図である。
【図４】請求項３によるフロアパネルの部分斜視図である。
【図５】請求項４によるフロアパネルの斜視図である。
【図６】フロアパネルの四隅を支持脚で支えた平面図である。
【図７】半分ずらしながら敷き並べてフロアパネルの中間端部を支持脚で支えた平面図である。
【図８】請求項３によるフロアパネルの平面図と蓋の斜視図である。
【図９】取外しの容易なフロアパネルの施工後の断面図である。
【図１０】図９の○印の部分の拡大斜視図である。
【符号の説明】
【００５４】
１  略樋形パネル成形体
２  凹部
３  凸部
４  平面縁部
５  開放していない面
６  凸状の溝
７  突条の筋
８  折り曲げ部
９  側面
１０  メッシュ
１１  床材
１２  側壁
１３  ビス
１４  ビス穴
１５  支持脚
１６  金属製折板
１７  折板溝
１８  折板上面
１９  嵌合部
２０  配線用穴
２１  蓋
２２  蓋の溝
２３  蓋上面
２４  パネル側面蓋
【図１】
2007040017.tif 000003
【図２】
2007040017.tif 000004
【図３】
2007040017.tif 000005
【図４】
2007040017.tif 000006
【図５】
2007040017.tif 000007
【図６】
2007040017.tif 000008
【図７】
2007040017.tif 000009
【図８】
2007040017.tif 000010
【図９】
2007040017.tif 000011
【図１０】
2007040017.tif 000012